(57)【特許請求の範囲】
【請求項１】
給湯側燃焼室内に、給湯側バーナと、その給湯側バーナの燃焼排気によって内部を通過する水を加熱する給湯側熱交換器とを備えてなる給湯加熱部と、
風呂側燃焼室内に、風呂側バーナと、浴槽との間に形成される循環経路の一部となり、前記風呂側バーナの燃焼排気によって内部を通過する湯水を加熱する風呂側熱交換器とを備えてなる風呂加熱部と、
前記風呂側燃焼室内の温度を検出する温度検出手段と、
前記温度検出手段の検出温度を監視し、前記給湯側バーナ及び前記風呂側バーナの燃焼を制御するコントローラと、を含んでなる風呂給湯装置であって、
前記コントローラは、前記風呂側バーナの燃焼開始後の第１の判定時間経過後に、前記温度検出手段によって得られる前記風呂側燃焼室内の温度が、前記風呂側バーナの燃焼開始前に検出した初期温度から所定温度上昇しているか否かを判別する第１判定と、
前記第１判定で前記風呂側燃焼室内の温度が前記初期温度から所定温度上昇していないと判別した場合、前記風呂側バーナの燃焼停止後の第２の判定時間内に、前記風呂側燃焼室内の温度が、前記第１判定後で前記第２の判定時間のカウント開始前に検出した最大温度から所定温度低下しているか否かを判別する第２判定と、
前記第２判定で前記風呂側燃焼室内の温度が前記最大温度から所定温度低下していないと判別した場合の回数のカウントと、を行い、
前記カウントが所定回数に達したら、前記温度検出手段に異常が発生したと判断することを特徴とする風呂給湯装置。
【請求項２】
前記コントローラは、前記第２判定において前記風呂側燃焼室内の温度が前記最大温度から所定温度低下していると判別した場合には、前記カウントを０にリセットすることを特徴とする請求項１に記載の風呂給湯装置。
【請求項３】
前記給湯側燃焼室と、前記風呂側燃焼室とが、仕切部材を介して隣接配置されており、前記仕切部材に前記温度検出手段が設けられて、前記温度検出手段によって前記給湯側バーナの燃焼も検出可能となっており、
前記コントローラは、前記風呂側バーナのみが燃焼中の場合に前記第１判定を行うことを特徴とする請求項１又は２に記載の風呂給湯装置。
【請求項４】
前記給湯側燃焼室と、前記風呂側燃焼室とが、仕切部材を介して隣接配置されており、前記仕切部材に前記温度検出手段が設けられて、前記温度検出手段によって前記給湯側バーナの燃焼も検出可能となっており、
前記コントローラは、前記第２の判定時間中に前記給湯側バーナが燃焼した場合には、前記第２判定を行わないことを特徴とする請求項１又は２に記載の風呂給湯装置。
【請求項５】
前記所定回数は２以上であり、前記コントローラは、前記カウントが前記所定回数未満の場合で、前記第１判定において前記風呂側燃焼室内の温度が前記初期温度から所定温度上昇していると判別した場合には、前記カウントを０にリセットすることを特徴とする請求項１乃至４の何れかに記載の風呂給湯装置。
【発明の詳細な説明】
【技術分野】
【０００１】
本発明は、給湯加熱部と風呂加熱部とを備えた風呂給湯装置に関する。
【背景技術】
【０００２】
従来、浴槽の湯水を加熱する機能を備えた風呂給湯装置が広く実用に供されている。この風呂給湯装置は、例えば特許文献１に開示されるように、給湯側熱交換器及び当該熱交換器を加熱する給湯側バーナを備えた給湯側燃焼室と、給湯側熱交換器を通過した湯を出湯する出湯管とを含んでなる給湯回路（給湯加熱部）と、風呂側熱交換器及び当該熱交換器を加熱する風呂側バーナを備えた風呂側燃焼室と、風呂側熱交換器と浴槽との間に接続される戻り配管及び往き配管とを含んでなる風呂回路（風呂加熱部）と、を併設したものが知られている。風呂回路では、ポンプによって浴槽の湯水を風呂側熱交換器との間で循環させながら風呂側バーナを燃焼させることで、浴槽の湯水を沸かし上げたり、追い焚きによって保温したりすることができるようになっている。
また、熱交換器が、複数のフィンとこれらのフィンを貫通する伝熱管とからなる場合、特許文献２に開示されるように、装置本体内に燃焼室の温度を検出するサーミスタ等の温度検出手段を設けて、温度検出手段の検出結果に基づいてフィン間の詰まりを検出する技術も知られている。
【先行技術文献】
【特許文献】
【０００３】
【特許文献１】特開２０１３−１７０７９４号公報
【特許文献２】特開２０１４−２４０７１６号公報
【発明の概要】
【発明が解決しようとする課題】
【０００４】
温度検出手段によってフィンの詰まりを検出する場合、サーミスタ等の温度検出手段自体の異常も検出して、異常が発生した場合には燃焼の停止又は禁止等の処理を行う必要がある。この異常検出の手段としては、バーナの燃焼開始後に温度検出手段による温度検出値を監視し、温度検出値が上昇傾向を示さない場合には、温度検出手段に故障が生じたと判断することが考えられる。
しかし、風呂側バーナは、浴槽の追い焚きや保温動作等によって不定期に燃焼動作されるため、燃焼停止から次の燃焼開始までの間隔が短い場合も多い。この場合、燃焼室内に前回燃焼した際の熱が残存しているため、サーミスタ等が正常であった場合でも、バーナの燃焼開始後に温度検出値が上昇傾向を示さず、サーミスタ故障と判断されて装置自体の燃焼が停止又は禁止されてしまう。よって、ユーザに不便を強いるおそれがある。
【０００５】
そこで、本発明は、温度検出手段の異常を精度よく検出して、サーミスタ等が正常である場合の使い勝手を損なうことがない風呂給湯装置を提供することを目的としたものである。
【課題を解決するための手段】
【０００６】
上記目的を達成するために、請求項１に記載の発明は、給湯側燃焼室内に、給湯側バーナと、その給湯側バーナの燃焼排気によって内部を通過する水を加熱する給湯側熱交換器とを備えてなる給湯加熱部と、風呂側燃焼室内に、風呂側バーナと、浴槽との間に形成される循環経路の一部となり、風呂側バーナの燃焼排気によって内部を通過する湯水を加熱する風呂側熱交換器とを備えてなる風呂加熱部と、風呂側燃焼室内の温度を検出する温度検出手段と、温度検出手段の検出温度を監視し、給湯側バーナ及び風呂側バーナの燃焼を制御するコントローラと、を含んでなる風呂給湯装置であって、
コントローラは、風呂側バーナの燃焼開始後の第１の判定時間経過後に、温度検出手段によって得られる風呂側燃焼室内の温度が、風呂側バーナの燃焼開始前に検出した初期温度から所定温度上昇しているか否かを判別する第１判定と、
第１判定で風呂側燃焼室内の温度が初期温度から所定温度上昇していないと判別した場合、風呂側バーナの燃焼停止後の第２の判定時間内に、風呂側燃焼室内の温度が、第１判定後で第２の判定時間のカウント開始前に検出した最大温度から所定温度低下しているか否かを判別する第２判定と、
第２判定で風呂側燃焼室内の温度が最大温度から所定温度低下していないと判別した場合の回数のカウントと、を行い、当該カウントが所定回数に達したら、温度検出手段に異常が発生したと判断することを特徴とする。
請求項２に記載の発明は、請求項１の構成において、コントローラは、第２判定において風呂側燃焼室内の温度が最大温度から所定温度低下していると判別した場合には、カウントを０にリセットすることを特徴とする。
請求項３に記載の発明は、請求項１又は２の構成において、給湯側燃焼室と、風呂側燃焼室とが、仕切部材を介して隣接配置されており、仕切部材に温度検出手段が設けられて、温度検出手段によって給湯側バーナの燃焼も検出可能となっており、コントローラは、風呂側バーナのみが燃焼中の場合に第１判定を行うことを特徴とする。
請求項４に記載の発明は、請求項１又は２の構成において、給湯側燃焼室と、風呂側燃焼室とが、仕切部材を介して隣接配置されており、仕切部材に温度検出手段が設けられて、温度検出手段によって給湯側バーナの燃焼も検出可能となっており、コントローラは、第２の判定時間中に給湯側バーナが燃焼した場合には、第２判定を行わないことを特徴とする。
請求項５に記載の発明は、請求項１乃至４の何れかの構成において、所定回数は２以上であり、コントローラは、カウントが所定回数未満の場合で、第１判定において風呂側燃焼室内の温度が初期温度から所定温度上昇していると判別した場合には、カウントを０にリセットすることを特徴とする。
【発明の効果】
【０００７】
請求項１に記載の発明によれば、温度検出手段の異常を精度よく検出でき、風呂側燃焼室内の残存熱に起因する中間故障の誤検知を大幅に低減することができる。よって、温度検出手段が正常である場合にユーザの使い勝手を損なうことがなくなる。
請求項２に記載の発明によれば、請求項１の効果に加えて、偶発的な異常検出を排除して検出精度を向上させることができる。
請求項３及び４に記載の発明によれば、請求項１又は２の効果に加えて、給湯側バーナの燃焼に伴う給湯側燃焼室からの熱の影響により、異常判定に誤りが生じるのを防止することができる。
請求項５に記載の発明によれば、請求項１乃至４の何れかの効果に加えて、第１、第２判定が連続２回以上で異常と判定されて初めて温度検出手段の異常が判定されるので、異常判定の信頼性をより向上させることができる。
【図面の簡単な説明】
【０００８】
【図１】風呂給湯装置の概略回路図である。
【図２】燃焼室部分の説明図である。
【図３】中間故障検出制御のフローチャートである。
【発明を実施するための形態】
【０００９】
以下、本発明の実施の形態を図面に基づいて説明する。
図１は、風呂給湯装置の概略回路図で、風呂給湯装置１は、給湯側燃焼室４内に給湯側バーナ５，５・・と給湯側熱交換器としての一次熱交換器６及び二次熱交換器７とをそれぞれ備えて水道水を加熱し出湯させる給湯加熱部２と、風呂側燃焼室２０内に風呂側バーナ２１及び風呂側熱交換器２２を備えて風呂の追い炊き等に利用される風呂加熱部３とからなる。
まず給湯加熱部２において、二次熱交換器７の入口には、給湯水量センサ９を備えて上水道から水道水を供給する給水管８が接続され、二次熱交換器７の出口と一次熱交換器６の入口との間には、二次熱交換器７で加熱された湯を一次熱交換器６へ供給する連結管１０が接続されて、一次熱交換器６の出口に、給湯サーミスタ１２を備えて一次熱交換器で加熱された湯を出湯する出湯管１１が接続されている。１３は給湯栓である。
【００１０】
また、給湯側燃焼室４内において、一次熱交換器６は給湯側バーナ５の燃焼排気経路の上流側に、二次熱交換器７は燃焼排気経路の下流側にそれぞれ配設されて、伝熱管内の通水を燃焼排気と熱交換させるようになっている。給湯側バーナ５へのガスの供給を行うガス管１４には、上流側からガス元電磁弁１５、給湯ガス比例制御弁１６、各給湯バーナ５への分岐管ごとの給湯切替電磁弁１７，１７・・がそれぞれ設けられている。給湯側燃焼室４の下方には、燃焼用空気を各給湯側バーナ５及び風呂側バーナ２１へ供給するファン１８が設けられている。１９は点火用のイグナイタである。
【００１１】
一方、風呂加熱部３において、風呂側熱交換器２２と浴槽２３との間には、循環ポンプ２５及び風呂サーミスタ２６を備えた戻り配管２４と、往き配管２７とが接続されている。戻り配管２４には、出湯管１１から分岐されて給湯用電磁弁２９及び落とし込み水量センサ３０を備えた落とし込み管２８が接続され、落とし込み管２８に設けた給湯用電磁弁２９を開弁させることで、給湯加熱部２で加熱された湯を浴槽２３へ供給可能となっている。また、風呂側バーナ２１に接続されるガス管１４からの分岐管には、切替電磁弁３１が設けられている。３２，３３は、落とし込み管２８において給湯用電磁弁２９の下流側に設けられた逆止弁で、戻り配管２４において、落とし込み管２８との接続部よりも上流側には、戻り配管２４を開閉可能な弁体を駆動させる制御モータ３４が設けられている。３５はコントローラ、３６は給湯リモコン、３７は風呂リモコンである。
【００１２】
図２は、燃焼室部分の説明図で、ここでは缶体４０内に上下方向の仕切部材４１を設けて、給湯側燃焼室４と風呂側燃焼室２０とを隣接させて形成している。給湯側燃焼室４には、下方から、給湯側バーナ５、一次熱交換器６、二次熱交換器７（図２では省略）の順に設けられ、風呂側燃焼室２０には、下方から、風呂側バーナ２１、風呂側熱交換器２２の順に設けられている。４２，４２・・は、各熱交換器６，２２に設けられて前後方向（図２の紙面直交方向）に所定間隔をおいて複数枚積層されるフィン、４３はフィン４２を蛇行状に貫通する伝熱管で、両バーナ５，２１の下部には、ファン１８から燃焼用空気が供給される給気室４４が形成されている。
そして、仕切部材４１における両バーナ５，２１と熱交換器６，２２との間には、両燃焼室４，２０内の温度を検出する温度検出手段としての燃焼室サーミスタ４５が設けられている。
【００１３】
以上の如く構成された風呂給湯装置１においては、まず通常の給湯は以下の如くなされる。
出湯管１１に設けられた給湯栓１３が開栓されて器具内に通水され、その通水を給湯水量センサ９で検知すると、コントローラ３５は、ファン１８を所定時間回転させて、給湯側燃焼室４及び風呂側燃焼室２０内に貯留している燃焼排気を排出させる（プリパージ）。その後、ガス管１４のガス元電磁弁１５、各給湯切替電磁弁１７を開弁させ、給湯ガス比例制御弁１６を所定開度で開弁させて、各給湯側バーナ５へガスを供給すると共に、イグナイタ１９を作動させて給湯側バーナ５，５・・に点火する。
【００１４】
すると、給湯側バーナ５の燃焼排気は、まず一次熱交換器６を通過して伝熱管の通水と熱交換した後、二次熱交換器７を通過して伝熱管の通水と熱交換して外部へ排出される。これにより、一次熱交換器６で顕熱が、二次熱交換器７で潜熱が夫々回収されて加熱された湯が給湯栓１３から出湯される。
【００１５】
コントローラ３５は、出湯管１１の給湯サーミスタ１２によって出湯温度を監視し、出湯温度が給湯リモコン３６又は風呂リモコン３７によって指示された設定温度となるように、給湯切替電磁弁１７の開閉制御と、給湯ガス比例制御弁１６の開度調整とを行うと共に、ファン１８の回転数制御によって空気量を連続的に変化させる。給湯栓１３を閉じると、給湯水量センサ９の信号停止を確認したコントローラ３５は、ガス元電磁弁１５及び給湯切替電磁弁１７を閉じて給湯バーナ５を消火させ、所定時間ファン１８を回転させる（ポストパージ）。
【００１６】
一方、風呂加熱部３において、給湯リモコン３６又は風呂リモコン３７の自動スイッチを押すと、コントローラ３５は、落とし込み管２８の給湯用電磁弁２９を開弁して給湯加熱部２に通水させて給湯側バーナ５を燃焼させる。出湯管１１からの湯は、落とし込み管２８及び戻り配管２４を通って浴槽２３に供給される。このとき制御モータ３４によって戻り配管２４の流路を開弁している。落とし込み管２８に設けた落とし込み水量センサ３０で検出した水量が設定水量に達すると、給湯用電磁弁２９を閉じて通水を停止し、給湯側バーナ５を消火させる。
次に、循環ポンプ２５が作動し、風呂加熱部３内で浴槽２３の湯を循環させる。このとき、戻り配管２４に設けた風呂サーミスタ２６で湯の温度を監視し、当該温度が設定温度以下であると、風呂側バーナ２１が点火される。よって、風呂熱交換器２２と浴槽２３との間を循環する風呂循環水は設定温度まで加熱される。設定温度に達すると、風呂側バーナ２１の燃焼を停止させ、循環ポンプ２５を停止させる。
【００１７】
そして、燃焼生成物が熱交換器６，２２のフィン４２，４２間に付着してフィン４２，４２に目詰まりが生じると、ファン１８からの空気がフィン４２，４２間を通過することができず、燃焼室４，２０の温度が上昇し、燃焼室サーミスタ４５が過熱される。こうして燃焼室サーミスタ４５の検出温度が設定温度に到達すると、フィン閉塞が生じたとしてコントローラ３５が両バーナ５，２１の燃焼を停止させることになる。
【００１８】
同時にコントローラ３５は、風呂加熱部３での自動運転中に燃焼室サーミスタ４５の検出温度を監視して、燃焼室サーミスタ４５の中間故障（感熱部分の過熱にかかわらず出力（抵抗値）が変化しない故障）を検出する中間故障検出制御を実行している。以下、この中間故障検出制御を図３のフローチャートに基づいて説明する。
まず、Ｓ１では、給湯側バーナ５が燃焼中か否かが判別される。ここで給湯側バーナ５が燃焼中、すなわち給湯加熱部２が使用中であれば、故障検出は行わない。
そして、給湯側バーナ５が燃焼中でなければ、Ｓ２において、燃焼室サーミスタ４５によって風呂側燃焼室４の初期温度Ｔ０が検出され、Ｓ３で、追い焚き等によって風呂側バーナ２１の燃焼が開始されたか否かが判別される。ここで風呂側バーナ２１の燃焼開始が確認されれば、Ｓ４で、第１の所定時間（例えば１８０秒）でタイムアップする第１タイマーをスタートさせる。
【００１９】
Ｓ５で第１タイマーがタイムアップする前にＳ６で風呂側バーナ２１の燃焼停止が確認されると、Ｓ１へ戻って再び給湯側バーナ５の燃焼確認から処理を実行する。
そして、Ｓ５で第１タイマーがタイムアップすると、Ｓ７で、燃焼室サーミスタ４５によって風呂側燃焼室２０の第１判定温度Ｔ１が検出され、Ｓ８では、初期温度Ｔ０から第１判定温度Ｔ１まで５℃以上温度上昇しているか否かが判別される（第１判定）。ここで５℃以上の温度上昇が確認できれば、Ｓ９で、予備判定回数のカウントを０にリセットした後、Ｓ１０で風呂側バーナ２１の燃焼停止を待ってＳ１へ戻る。
一方、Ｓ８の判別で温度上昇が５℃未満であれば、継続して燃焼室サーミスタ４５による風呂側燃焼室２０内の温度検出を行い、Ｓ１１で最大温度ＴＭを記憶する。
【００２０】
次に、Ｓ１２で風呂側バーナ２１の燃焼停止が確認されると、Ｓ１３−１で、第２の所定時間（例えば１８０秒）でタイムアップする第２タイマーをスタートさせると共に、Ｓ１３−２で、燃焼室サーミスタ４５によって風呂側燃焼室２０の第２判定温度Ｔ２を検出する。なお、第２タイマーのカウント中にＳ１４の判別で給湯側バーナ５又は風呂側バーナ２１の燃焼が確認されると、カウントをキャンセルしてＳ１に戻る。いずれも燃焼停止中であれば、Ｓ１５で、Ｓ１１で取得した最大温度ＴＭと第２判定温度Ｔ２との差（低下した温度）が５℃以上となったか否かを判別する（第２判定）。ここで５℃以上の低下を確認したら、燃焼室サーミスタ４５は正常であるとして、Ｓ１６で予備判定回数のカウントを０にリセットして第２タイマーのカウントをキャンセルし、Ｓ１へ戻る。Ｓ１５で５℃以上の低下を確認せず、Ｓ１７でタイムアップ前であれば、Ｓ１３−２に戻って再び第２判定温度Ｔ２を検出する。
【００２１】
そして、Ｓ１５で５℃以上の温度低下を確認しないままＳ１７で第２タイマーがタイムアップすると、Ｓ１８で、予備判定回数を１回カウントする。つまり、燃焼室サーミスタ４５の検出温度が、風呂側バーナ２１の燃焼中に５℃以上上昇せず、且つ風呂側バーナ２１の燃焼停止後に５℃以上低下しない場合に予備判定回数がカウントされることになる。次に、Ｓ１９で、予備判定回数が６回未満か否かを判別する。ここで予備判定回数が６回未満であれば、Ｓ１に戻る。
一方、Ｓ１９の判別で予備判定回数が６回に達したことが確認されると、燃焼室サーミスタ４５に中間故障が発生したとして、Ｓ２０で給湯側バーナ５及び風呂側バーナ２１の燃焼を禁止すると共に、給湯リモコン３６及び風呂リモコン３７の表示部に所定コードのエラー表示を行い、予備判定回数を０にリセットする。よって、ユーザは、燃焼禁止とリモコンのエラー表示とによって不具合の発生を知ることができる。
【００２２】
このように、上記形態の風呂燃焼装置１によれば、コントローラ３５は、風呂側バーナ２１の燃焼開始後の第１の判定時間（第１タイマー）経過後に、燃焼室サーミスタ４５によって得られる風呂側燃焼室２０内の温度が所定温度（ここでは５℃）上昇しているか否かを判別する第１判定（Ｓ８）と、第１判定で風呂側燃焼室２０内の温度が所定温度上昇していないと判別した場合、風呂側バーナ２１の燃焼停止後の第２の判定時間（第２タイマー）内に、風呂側燃焼室２０内の温度が所定温度（ここでは５℃）低下しているか否かを判別する第２判定（Ｓ１５）と、第２判定で風呂側燃焼室２０内の温度が所定温度低下していないと判別した場合の予備判定回数のカウント（Ｓ１８）と、を行い、予備判定回数のカウントが所定回数（ここでは６回）に達したら、燃焼室サーミスタ４５に異常が発生したと判断することで、燃焼室サーミスタ４５の異常を精度よく検出でき、風呂側燃焼室２０内の残存熱に起因する中間故障の誤検知を大幅に低減することができる。よって、燃焼室サーミスタ４５が正常である場合にユーザの使い勝手を損なうことがなくなる。
【００２３】
特にここでは、コントローラ３５は、第２判定において風呂側燃焼室２０内の温度が所定温度低下していると判別した場合には、予備判定回数のカウントを０にリセットすることで、偶発的な異常検出を排除して検出精度を向上させることができる。
また、コントローラ３５は、風呂側バーナ２１のみが燃焼中の場合に第１判定を行うと共に、第２の判定時間中に給湯側バーナ５が燃焼した場合には、第２判定を行わないので、給湯側バーナ５の燃焼に伴う給湯側燃焼室４からの熱の影響により、異常判定に誤りが生じるのを防止することができる。
さらに、異常判定する予備判定回数を６として、コントローラ３５は、予備判定回数のカウントが６回未満の場合で、第１判定において風呂側燃焼室２０内の温度が所定温度上昇していると判別した場合には、予備判定回数のカウントを０にリセットすることで、第１、第２判定が連続６回異常と判定されて初めて燃焼室サーミスタ４５の異常が判定されるので、異常判定の信頼性をより向上させることができる。
【００２４】
なお、第１、第２判定の温度上昇及び低下は５℃に限らず、適宜増減可能である。予備判定回数も６回に限らず、適宜増減して差し支えない。但し、予備判定回数を１回にして、第１、第２判定で温度上昇と温度低下とが確認されない場合に直ちに異常と判定することも可能である。
また、上記形態では、第１判定で５℃以上の温度上昇、第２判定で５℃以上の温度低下がそれぞれ確認できれば予備判定回数を０にリセットしているが、リセットせずに予備判定回数を持ち越してその後の監視を続けるようにしてもよい。
さらに、異常判断後の報知はリモコンへのエラー表示に限らず、電子音や合成音声等に代えたり、或いは併用したりしても差し支えない。バーナの燃焼禁止も、使い勝手を考慮して、異常判断後に複数回或いは所定時間の燃焼を許容した上で行うようにしてもよいし、全てのバーナでなく風呂側バーナのみを燃焼禁止とすることもできる。
【００２５】
そして、上記形態では、給湯加熱部に給湯側熱交換器として一次熱交換器と二次熱交換器とを備えているが、二次熱交換器がなく、一次熱交換器のみ備える給湯加熱部であっても差し支えない。風呂加熱部においても、風呂側熱交換器として一次熱交換器と二次熱交換器とを備えるものであってもよい。
【符号の説明】
【００２６】
１・・風呂給湯装置、２・・給湯加熱部、３・・風呂加熱部、４・・給湯側燃焼室、５・・給湯側バーナ、６・・一次熱交換器、７・・二次熱交換器、８・・給水管、１１・・出湯管、２０・・風呂側燃焼室、２１・・風呂側バーナ、２２・・風呂側熱交換器、２３・・浴槽、２４・・戻り配管、２７・・往き配管、３５・・コントローラ、３６・・給湯リモコン、３７・・風呂リモコン、４０・・缶体、４１・・仕切部材、４５・・燃焼室サーミスタ。
【図１】
0006660722.tif 000002
【図２】
0006660722.tif 000003
【図３】
0006660722.tif 000004